(57)【特許請求の範囲】
【請求項１】
平坦な基材からなり、格子領域と、該格子領域で仕切られた複数の可動領域を備え、
前記各可動領域には、複数の切り込みが形成されており、前記複数の切り込みは渦巻き状であり、
前記各可動領域の周縁は、前記格子領域との間が前記複数の切り込みにより切断されていない２以上の接続部と、該２以上の接続部を互いに分断する前記複数の切り込みの端部とからなり、
前記各可動領域には、前記複数の切り込みにより、前記可動領域の中央部を第１の端部とし、前記接続部の各々を第２の端部とし、前記第１の端部と前記各々の第２の端部とを前記切り込みで切断されることなく連結する複数の迂回路が形成されており、これら複数の迂回路の第１の端部は、前記可動領域の中央部において合流しており、
前記各々の迂回路を経由して各々の第１の端部から第２の端部に至る最短経路の長さは、該第１の端部と第２の端部間の直線距離よりも長くされていることを特徴とする緩衝シート。
【請求項２】
前記基材が非伸縮性である請求項１に記載の緩衝シート。
【請求項３】
空洞を囲む基板で形成された収納容器であって、前記基板の一部が、請求項１または２に記載の緩衝シートであることを特徴とする収納容器。
【発明の詳細な説明】
【技術分野】
【０００１】
本発明は、生鮮食品や割れ物等の包装材などとして使用可能な緩衝シート、及び該緩衝シートを利用した収納容器に関する。
【背景技術】
【０００２】
果実、野菜等の生鮮食品や、瀬戸物、ガラス等の割れやすい製品の包装には、緩衝材が使用されている。
緩衝材としては、シート状の弾性部材（非特許文献１）、プラスチックフィルム、細かくカットされた紙（非特許文献２）、木毛、チップ状のプラスチック材等が用いられている。また、予め包装対象物の形状に成形した発泡プラスチック等の緩衝材も用いられている。
【先行技術文献】
【非特許文献】
【０００３】
【非特許文献１】株式会社ホリコー  ホームページ“緩衝材  緩衝材パット”、［online］、［平成２７年１月２７日検索］、インターネット<http://www.horiko.jp/shop/wm/mc_005/nova_p.php．>
【非特許文献２】株式会社オーセロ  ホームページ“パッキン＞紙系パッキン”、［online］、［平成２７年１月２７日検索］、インターネット<http://www.o-cello.co.jp/products/standard/packing/kamitype/kapa11K.html>
【発明の概要】
【発明が解決しようとする課題】
【０００４】
非特許文献１のようなシート状の緩衝材は取扱いが容易であるが、包装対象物の下面側のみを支えているため、横揺れした場合、果実等の包装対象物の移動を防止しにくい。そのため、包装対象物同士の衝突や包装対象物と箱の衝突などが生じる場合があった。また、プラスチックフィルムは、包装対象物を挟み込んで使用する場合は包装対象物に圧を与えやすく、包装対象物を挟み込まずに使用する場合は、包装対象物を充分に固定できず、いずれの場合にも、包装対象物の保護に欠ける場合があった。
【０００５】
一方、細かくカットされた紙、木毛、チップ状のプラスチック材等は、包装対象物の隙間を埋めるように充填できる。そのため、横揺れした場合にも、包装対象物の移動を防止しやすい。しかしながら、細かいために散らばりやすく、廃棄時等の取り扱いが煩雑である。また、嵩張ることから保管場所をとり、廃棄量も嵩むものであった。
また、予め包装対象物の形状に成形した発泡プラスチック等の緩衝材も、嵩張ることから保管場所をとり、廃棄量も嵩むものであった。
【０００６】
本発明の目的は、包装対象物を移動させることなく定位置に保持することが可能であり、取り扱いが容易で、しかも使用時以外は嵩張らない緩衝シート、及び該緩衝シートを利用した収納容器を提供することにある。
【課題を解決するための手段】
【０００７】
上記の課題を達成するために、本発明は以下の構成を採用した。
［１］  平坦な基材からなり、格子領域と、該格子領域で仕切られた複数の可動領域を備え、
前記各可動領域には、複数の切り込みが形成されており、
前記各可動領域の周縁は、前記格子領域との間が前記複数の切り込みにより切断されていない２以上の接続部と、該２以上の接続部を互いに分断する前記複数の切り込みの一部とからなり、
前記各可動領域には、前記複数の切り込みにより、前記可動領域の中央部を第１の端部とし、前記接続部の各々を第２の端部とし、前記第１の端部と前記各々の第２の端部とを前記切り込みで切断されることなく連結する複数の迂回路が形成されており、これら複数の迂回路の第１の端部は、前記可動領域の中央部において合流しており、
前記各々の迂回路を経由して各々の第１の端部から第２の端部に至る最短経路の長さは、該第１の端部と第２の端部間の直線距離よりも長くされていることを特徴とする緩衝シート。
［２］  前記基材が非伸縮性である［１］に記載の緩衝シート。
［３］  空洞を囲む基板で形成された収納容器であって、前記基板の一部が、［１］または［２］に記載の緩衝シートであることを特徴とする収納容器。
【発明の効果】
【０００８】
本発明の緩衝シート及び収納容器は、包装対象物を移動させることなく定位置に保持することが可能であり、取り扱いが容易で、しかも使用時以外は嵩張らない。
【図面の簡単な説明】
【０００９】
【図１】本発明の第１の実施形態に係る緩衝シートである。
【図２】第１の実施形態に係る緩衝シートの一部拡大図である。
【図３】本発明の第１の実施形態に係る緩衝シートの使用態様を示す図である。
【図４】本発明の第１の実施形態に係る緩衝シートの他の使用態様を示す図である。
【図５】本発明の第２の実施形態に係る緩衝シートである。
【図６】第２の実施形態に係る緩衝シートの一部拡大図である。
【図７】本発明の第２の実施形態に係る緩衝シートの使用態様を示す図である。
【図８】本発明の第２の実施形態に係る緩衝シートの他の使用態様を示す図である。
【図９】本発明の第３の実施形態に係る緩衝シートである。
【発明を実施するための形態】
【００１０】
本発明の緩衝シートは、平坦な基材からなり、格子状の格子領域と、この格子領域で仕切られた複数の可動領域を備えている。各可動領域には、複数の切り込みが形成されている。
【００１１】
基材は平坦であれば、特にその材質を問わないが、切り込みの幅を容易に拡張できるように可撓性を備えることが好ましい。
なお、平坦とは、マクロ的な意味で平坦であることを意味し、例えば、基材の表面に細かい凹凸が付されていたり、表面が粗面化されていたりすることは差し支えない。
【００１２】
基材は、本発明の効果を享受する利益が大きいことから、非伸縮性であることが好ましい。伸縮性の素材であれば、特に切り込みを設けることなく、任意に伸張できるからである。また、伸縮性の素材の場合、素材に加わる力により無制限に延びてしまう傾向があるが、非伸縮性の基材であれば、最短経路の長さによって伸張の程度が制限される。そのため、非伸縮性の基材の場合、伸張の程度をコントロールしやすい。
基材には、例えば、紙、合成紙、プラスチックフィルム、織布、不織布、金属薄膜等が使用できる。具体的な基材の材質、厚み、強度等は、その用途に応じて適宜選択すればよい。
【００１３】
格子領域全体の周縁の形状に特に限定はなく、矩形、矩形以外の多角形、円形、楕円形等とすることができる。また、格子状の具体的態様に限定はなく、緩衝シート全体を縦、横、または斜めの何れか１以上の方向で枠に囲まれた複数の領域に仕切るものであればよい。
例えば、縦と横の仕切りを組み合わせた縦横格子、斜めに交差する仕切りを組み合わせた斜め格子、斜めに交差する仕切りと縦または横の仕切りを組み合わせた三角格子が上げられる。また、不規則な形状の複数の領域に区分する仕切りの組み合わせであってもよい。
【００１４】
各可動領域に形成されている切り込みは直線状でも曲線状でもよい。また、１つの切り込みは、他の切り込みの途中に合流していてもよい。
切り込みは、その幅を無視できる程度の線状の切り込みに限定されず、紡錘状、楕円状三日月状、矩形状、円などであってもよい。ただし、伸張させた際の基材破壊を防ぐ観点から、切り込みの幅は無視できる程度に小さいことが好ましく、例えば、矩形状の切り込みは好ましくない。
以下に説明する条件を満たすように格子領域と可動領域を形成できる限り、種々の切り込みのパターンが採用できる。
【００１５】
各可動領域の周縁は、格子領域との間が前記複数の切り込みにより切断されていない２以上の接続部と、この２以上の接続部を互いに分断する前記複数の切り込みの一部を含んでいる。
２以上の接続部を互いに分断する切り込みの一部は、周縁に沿った切り込みであってもよいし、周縁に達する切り込みの端部であってもよい。
周縁に含まれる互いに分断された接続部の数は、２以上であるが、包装対象物を安定して保持しやすいことから、３以上であることが好ましい。また、切り込みの設けやすさ等の観点から、８以下であることが好ましく６以下であることがより好ましい。
各可動領域の周縁の形状にも特に限定はなく、円形、矩形等の多角形等を適宜選択できる。
【００１６】
各可動領域には、複数の切り込みにより、可動領域の中央を第１の端部とし、接続部の各々を第２の端部とする複数の迂回路が形成されている。
本発明における迂回路とは、切り込みで切断されることなく連続する領域によって形成された第１の端部と第２の端部を持つ道である。各々の迂回路を経由して第１の端（可動領域の中央）から第２の端部（各接続部）に至る最短経路の長さ（以下、「最短距離」という場合がある。）は、該第１の端部と第２の端部間を直線で結ぶ経路（以下、「直線経路」という場合がある。）の直線距離よりも長い。なお、本発明において直線距離とは、切り込みの幅を拡張していない、当初の平坦な基材面における直線距離を意味する。
【００１７】
直線経路を切断する切り込みの幅が拡張されることにより、その直線形路の両端の第１の端部と第２の端部間の距離（以下、切り込みの幅が拡張されることにより大きくなった両端部間の距離を「伸張距離」という場合がある。）が大きくなる。伸張距離が、最短距離を超えることはない。
基材の厚みを無視すれば、最短距離が伸張距離の最大値となる。その場合、第１の端部と第２の端部間の最大の伸び率（最大の伸張距離／直線距離）は、最短距離／直線距離となる。
【００１８】
各可動領域の中央部においては、複数の迂回路の第１の端部が合流している。中央部はある程度の面積を有する領域であるが、最短経路や直線形路を検討する際、便宜上、面積を無視できる点として捉えてもよい。切り込みは、中央部の内部にも形成されていてもよい。
各可動領域の中央部（各迂回路の第１の端部）の位置は、当初の基材における平面位置から、３次元の任意の方向に変化させることが可能である。その際、迂回路で連結されている各接続部の位置を変化させることなく、その可動領域の中央部の位置のみを変化させることができる。
【００１９】
以下、各実施形態に基づき、本発明の緩衝シートについて詳述する。なお、以下の説明においては、便宜上、図示に基づいて上下、左右、縦横、斜め等の説明を行う場合があるが、緩衝シートの切り込みパターン全体の方向に特に限定はなく、例えば、図示上の上下を左右に、左右を上下としてもよいし、図示上の位置から、４５°回転させた切り込みパターンとしてもよい。
【００２０】
＜第１実施形態＞
［第１実施形態の緩衝シート］
図１は、本発明の第１実施形態に係る緩衝シート１であり、図２は、その一部拡大図である。緩衝シート１は、矩形状の平坦な基材１ａに、格子領域Ｆ１（図１においてドット状のハッチングを施した部分）と、格子領域Ｆ１で仕切られた６つの可動領域Ｍ１が設けられている。
格子領域Ｆ１の周縁の形状は矩形状とされ、その周縁に沿った外枠内を縦２列、横３列に仕切る、縦横の仕切りが設けられた構成とされている。
【００２１】
各可動領域Ｍ１には、切り込みＣが複数形成されている。各可動領域Ｍ１の周縁の形状は、各々、中央部Ｐ１を囲む九角形とされている。
可動領域Ｍ１の周縁における、点Ｂ１１ａと点Ｂ１１ｂの間、点Ｂ１２ａと点Ｂ１２ｂの間、点Ｂ１３ａと点Ｂ１３ｂの間は、各々可動領域Ｍ１と格子領域Ｆ１との間が切り込みＣにより切断されていない３つの接続部Ｂとされている。
【００２２】
可動領域Ｍ１の周縁における、点Ｂ１３ｂと点Ｂ１１ａの間には切り込みＣ１１ａが、点Ｂ１１ｂと点Ｂ１２ａの間には切り込みＣ１１ｂが、点Ｂ１２ｂと点Ｂ１３ａの間には切り込みＣ１１ｃが各々形成されている。
切り込みＣ１１ａ、Ｃ１１ｂ、Ｃ１１ｃは、各々、内側に屈曲する３つの屈曲点を有しており、互いに離間して、全体として、九角形状の可動領域Ｍ１の周縁を破線状に描くように配置されている。
すなわち、本実施形態の可動領域Ｍ１の周縁は、前記３つの接続部Ｂと、これら３つの接続部Ｂの間を分断する切り込みＣ１１ａ、Ｃ１１ｂ、Ｃ１１ｃとから構成されている。
【００２３】
また、可動領域Ｍ１の周縁の内側に、切り込みＣ１１ａ、Ｃ１１ｂ、Ｃ１１ｃの各々の屈曲した先端と平行に、これらの切り込みから離間した切り込みＣ１２ａ、Ｃ１２ｂ、Ｃ１２ｃが形成されている。
切り込みＣ１２ａは、点Ｂ１３ａと点Ｂ１３ｂの間の接続部Ｂと中央部Ｐ１との直線形路を遮るように形成されている。切り込みＣ１２ｂは、点Ｂ１１ａと点Ｂ１１ｂの間の接続部Ｂと中央部Ｐ１との直線形路を遮るように形成されている。切り込みＣ１２ｃは、点Ｂ１２ａと点Ｂ１２ｂの間の接続部Ｂと中央部Ｐ１との直線形路を遮るように形成されている。
【００２４】
また、切り込みＣ１２ａ、Ｃ１２ｂ、Ｃ１２ｃの内側に、これら３つの切り込みの各々と平行に、切り込みＣ１３ａ〜Ｃ１３ｆが形成されている。
切り込みＣ１３ａは、切り込みＣ１１ｃから分岐して切り込みＣ１１ａに向かうように形成され、切り込みＣ１３ｂは、切り込みＣ１１ａから分岐して切り込みＣ１１ｃに向かうように形成されている。切り込みＣ１３ａと切り込みＣ１３ｂの先端は、各々切り込みＣ１２ａを対称軸として、点Ｂ１３ａと点Ｂ１３ｂと対象な位置とされている。
【００２５】
切り込みＣ１３ｃは、切り込みＣ１１ａから分岐して切り込みＣ１１ｂに向かうように形成され、切り込みＣ１３ｄは、切り込みＣ１１ｂから分岐して切り込みＣ１１ａに向かうように形成されている。切り込みＣ１３ｃと切り込みＣ１３ｄの先端は、各々切り込みＣ１２ｂを対称軸として、点Ｂ１１ａと点Ｂ１１ｂと対象な位置とされている。
切り込みＣ１３ｅは、切り込みＣ１１ｂから分岐して切り込みＣ１１ｃに向かうように形成され、切り込みＣ１３ｆは、切り込みＣ１１ｃから分岐して切り込みＣ１１ｂに向かうように形成されている。切り込みＣ１３ｅと切り込みＣ１３ｆの先端側は、各々切り込みＣ１２ｃを対称軸として、点Ｂ１２ａと点Ｂ１２ｂと対象な位置とされている。
【００２６】
また、切り込みＣ１３ａ〜Ｃ１３ｆの内側に、切り込みＣ１２ａ〜Ｃ１２ｃと平行に切り込みＣ１４ａ〜Ｃ１４ｃが形成されている。
切り込みＣ１４ａは、点Ｂ１３ａと点Ｂ１３ｂの間の接続部Ｂと中央部Ｐ１との直線形路を遮るように形成されている。切り込みＣ１４ｂは、点Ｂ１１ａと点Ｂ１１ｂの間の接続部Ｂと中央部Ｐ１との直線形路を遮るように形成されている。切り込みＣ１４ｃは、点Ｂ１２ａと点Ｂ１２ｂの間の接続部Ｂと中央部Ｐ１との直線形路を遮るように形成されている。
【００２７】
また、切り込みＣ１４ａ〜Ｃ１４ｃの内側に、切り込みＣ１５ａ〜Ｃ１５ｃが形成されている。切り込みＣ１５ａ〜Ｃ１５ｃは、各々、内側に屈曲する２つの屈曲点を有しており、互いに離間して、中央部Ｐ１を３方向から囲むように配置されている。
切り込みＣ１５ａの第１の先端と切り込みＣ１５ｂの第２の先端は、切り込みＣ１４ａを対称軸として、切り込みＣ１３ａと切り込みＣ１３ｂの各々の先端と対象な位置とされている。
【００２８】
切り込みＣ１５ｂの第１の先端と切り込みＣ１５ｃの第２の先端とは、切り込みＣ１４ｂを対称軸として、切り込みＣ１３ｃと切り込みＣ１３ｄの各々の先端と対象な位置とされている。
切り込みＣ１５ｃの第１の先端と切り込みＣ１５ａの第２の先端とは、切り込みＣ１４ｃを対称軸として、切り込みＣ１３ｅと切り込みＣ１３ｆの各々の先端と対象な位置とされている。
【００２９】
また、切り込みＣ１５ａ〜Ｃ１５ｃの内側に、切り込みＣ１４ａ〜Ｃ１４ｃと平行に切り込みＣ１６ａ〜Ｃ１６ｃが形成されている。
切り込みＣ１６ａは、点Ｂ１３ａと点Ｂ１３ｂの間の接続部Ｂと中央部Ｐ１との直線形路を遮るように形成されている。切り込みＣ１６ｂは、点Ｂ１１ａと点Ｂ１１ｂの間の接続部Ｂと中央部Ｐ１との直線形路を遮るように形成されている。切り込みＣ１６ｃは、点Ｂ１２ａと点Ｂ１２ｂの間の接続部Ｂと中央部Ｐ１との直線形路を遮るように形成されている。
【００３０】
さらに、切り込みＣ１６ａ〜Ｃ１６ｃの内側に、切り込みＣ１７ａ〜Ｃ１７ｃが形成されている。切り込みＣ１７ａ〜Ｃ１７ｃは、各々、内側に屈曲する１つの屈曲点を有しており、互いに離間して、中央部Ｐ１を３方向から囲むように配置されている。
切り込みＣ１７ａの第１の先端と切り込みＣ１７ｂの第２の先端は、切り込みＣ１６ａを対称軸として、切り込みＣ１５ａの第１の先端と切り込みＣ１５ｂの第２の先端の各々と対象な位置とされている。
【００３１】
切り込みＣ１７ｂの第１の先端と切り込みＣ１７ｃの第２の先端は、切り込みＣ１６ｂを対称軸として、切り込みＣ１５ｂの第１の先端と切り込みＣ１５ｃの第２の先端の各々と対象な位置とされている。
切り込みＣ１７ｃの第１の先端と切り込みＣ１７ａの第２の先端は、切り込みＣ１６ｃを対称軸として、切り込みＣ１５ｃの第１の先端と切り込みＣ１５ａの第２の先端の各々と対象な位置とされている。
【００３２】
中央部Ｐ１と各接続部Ｂとの間は、これらの切り込みＣによって形成された迂回路Ｒにより連結されている。
中央部Ｐ１を第１の端部とし、点Ｂ１１ａと点Ｂ１１ｂとの間の接続部Ｂを第２の端部とする迂回路Ｒとしては、迂回路Ｒ１１ａと迂回路Ｒ１１ｂの２つが形成されている。
迂回路Ｒ１１ａを経由する最短経路Ｓ１１ａは、中央部Ｐ１から、切り込みＣ１７ｂ、Ｃ１６ｂ、Ｃ１５ｂ、Ｃ１４ｂ、Ｃ１３ｃ、Ｃ１２ｂ、Ｃ１１ａの各々の先端を縫うようにして、接続部Ｂの点Ｂ１１ａに至っている。
迂回路Ｒ１１ｂを経由する最短経路Ｓ１１ｂは、中央部Ｐ１から、切り込みＣ１７ｃ、Ｃ１６ｂ、Ｃ１５ｃ、Ｃ１４ｂ、Ｃ１３ｄ、Ｃ１２ｂ、Ｃ１１ｂの各々の先端を縫うようにして、接続部Ｂの点Ｂ１１ｂに至っている。
【００３３】
中央部Ｐ１を第１の端部とし、点Ｂ１２ａと点Ｂ１２ｂとの間の接続部Ｂを第２の端部とする迂回路Ｒとしては、迂回路Ｒ１２ａと迂回路Ｒ１２ｂの２つが形成されている。
迂回路Ｒ１２ａを経由する最短経路Ｓ１２ａは、中央部Ｐ１から、切り込みＣ１７ｃ、Ｃ１６ｃ、Ｃ１５ｃ、Ｃ１４ｃ、Ｃ１３ｅ、Ｃ１２ｃ、Ｃ１１ｂの各々の先端を縫うようにして、接続部Ｂの点Ｂ１２ａに至っている。
迂回路Ｒ１２ｂを経由する最短経路Ｓ１２ｂは、中央部Ｐ１から、切り込みＣ１７ａ、Ｃ１６ｃ、Ｃ１５ａ、Ｃ１４ｃ、Ｃ１３ｆ、Ｃ１２ｃ、Ｃ１１ｃの各々の先端を縫うようにして、接続部Ｂの点Ｂ１２ｂに至っている。
【００３４】
中央部Ｐ１を第１の端部とし、点Ｂ１３ａと点Ｂ１３ｂとの間の接続部Ｂを第２の端部とする迂回路Ｒとしては、迂回路Ｒ１３ａと迂回路Ｒ１３ｂの２つが形成されている。
迂回路Ｒ１３ａを経由する最短経路Ｓ１３ａは、中央部Ｐ１から、切り込みＣ１７ａ、Ｃ１６ａ、Ｃ１５ａ、Ｃ１４ａ、Ｃ１３ａ、Ｃ１２ａ、Ｃ１１ｃの各々の先端を縫うようにして、接続部Ｂの点Ｂ１３ａに至っている。
迂回路Ｒ１３ｂを経由する最短経路Ｓ１３ｂは、中央部Ｐ１から、切り込みＣ１７ｂ、Ｃ１６ａ、Ｃ１５ｂ、Ｃ１４ａ、Ｃ１３ｂ、Ｃ１２ａ、Ｃ１１ａの各々の先端を縫うようにして、接続部Ｂの点Ｂ１３ｂに至っている。
【００３５】
これらの迂回路Ｒ１１ａ〜Ｒ１３ｂを経由して、中央部Ｐ１から各々の第２の端部に至る最短経路の長さは、中央部Ｐ１（第１の端部）と各々の第２の端部間の直線距離よりも長くされている。中央部Ｐ１と各々の第２の端部との間の距離は、その間の切り込みの幅を広げることにより伸張させることができる。そのため、各可動領域Ｍ１における中央部Ｐ１を、当初の基材１ａの位置から離れて３次元方向に移動させることができる。
【００３６】
［第１実施形態の使用態様１］
図３は、第１実施形態の緩衝シート１を用いた収納容器１０の斜視図である。収納容器１０は、本発明の収納容器の１つの実施形態である。
収納容器１０は、６つの矩形状の基板で直方体状の空洞を囲む容器であり、その１つの基板が、第１実施形態の緩衝シート１で構成されている。
緩衝シート１の各可動領域Ｍ１は、押圧により切り込みＣが開き、中央部Ｐ１が迂回路Ｒによって、格子領域Ｆ１から吊り下げられた状態となる。これにより、中央部Ｐ１を底面とする凹部が形成される。
【００３７】
果実等の包装対象物１１を各可動領域Ｍ１に載せると、包装対象物１１の重さによって包装対象物１１の形状に追従した凹部が形成される。また、横揺れなどが生じた場合は、迂回路Ｒが追従してバネのように伸縮し、揺れを吸収する。そのため、包装対象物１１を、移動させることなく定位置に保持することが可能であると共に、揺れにより包装対象物１１に過大な応力がかかることも防止できる。
さらに、複数の包装対象物１１を各可動領域Ｍ１の位置に載せれば、各々の位置に凹部が形成される。そのため、複数の包装対象物１１の間を確実に離間させておくことができ、包装対象物１１同士が輸送中に衝突することなどを防止できる。
したがって、本実施形態の収納容器１０によれば、果実等の包装対象物１１の保護に優れる。
また、緩衝シート１は、１枚の基材から構成されているので、保管や廃棄時等の取り扱いが容易である。
【００３８】
包装対象物を収納容器１０の緩衝シート１の各可動領域Ｍ１に載せて収納した後は、その上側から、適宜の蓋材をかぶせてもよい。
収納容器１０に用いる緩衝シート１を構成する基材は、包装対象物等の使用目的に応じて適宜選択すればよい。例えば、包装対象物に対する負荷を少しでも減らすことを重視する場合には、柔軟性とクッション性のある基材を選択することができる。また、包装対象物が重量物である場合は、充分な強度を持たせることを優先して基材を選択することができる。
【００３９】
［第１実施形態の使用態様２］
図４は、第１実施形態の緩衝シート１を用いた緩衝部材２０の斜視図である。
緩衝部材２０は、各可動領域Ｍ１の切り込みＣを、上からの引き上げまたは下からの押圧により開き、中央部Ｐ１を迂回路Ｒによって、格子領域Ｆ１から押し上げた状態として使用する。これにより、中央部Ｐ１を頂部とする凸部が形成される。
緩衝部材２０は凸部を形成してもその周縁の形状と大きさが変わらないので、総ての可動領域Ｍ１を凸部にした状態で、凸部を上として段ボール等の底などに配置して使用できる。
【００４０】
可動領域Ｍ１を、包装対象物を囲む位置に配置した場合は、凸部を包装対象物の移動を防止する障壁として機能させることができる。また、横揺れなどが生じた場合は、迂回路Ｒが追従してバネのように伸縮し、揺れを吸収する。そのため、包装対象物を、移動させることなく定位置に保持することが可能であると共に、揺れにより包装対象物に過大な応力がかかることも防止できる。
また、小さい可動領域Ｍ１を多数形成した場合は、各々凸部を形成した状態において、各可動領域Ｍ１の迂回路Ｒは、中央部Ｐ１を支えるバネとして機能する。そのため、段ボール等に収納した包装対象物を、多数の凸部によって優れたクッション性で支えることもできる。包装対象物に対する圧力分散性は、可動領域Ｍ１の数を増やすほど向上する。
緩衝部材２０を構成する緩衝シート１は、１枚の基材から構成されているので、保管や廃棄時等の取り扱いが容易である。
【００４１】
＜第２実施形態＞
［第２実施形態の緩衝シート］
図５は、本発明の第２実施形態に係る緩衝シート２であり、図６は、その一部拡大図である。緩衝シート２は、矩形状の平坦な基材２ａに、格子領域Ｆ２（図５においてドット状のハッチングを施した部分）と、格子領域Ｆ２で仕切られた６つの可動領域Ｍ２が設けられている。
格子領域Ｆ１の周縁の形状は矩形状とされ、その周縁に沿った外枠内を縦２列、横３列に仕切る、縦横の仕切りが設けられた構成とされている。
【００４２】
各可動領域Ｍ２には、切り込みＣが複数形成されている。各可動領域Ｍ２の周縁の形状は、各々、中央部Ｐ２を囲む円形とされている。
可動領域Ｍ２の周縁における、点Ｂ２１と点Ｂ２２の間、点Ｂ２２と点Ｂ２３の間、点Ｂ２３と点Ｂ２４の間、点Ｂ２４と点Ｂ２５の間、点Ｂ２５と点Ｂ２１の間は、各々可動領域Ｍ２と格子領域Ｆ２との間が切り込みＣにより切断されていない５つの接続部Ｂとされている。
【００４３】
本実施形態では、可動領域Ｍ２において、その周縁における、点Ｂ２１〜Ｂ２５の各々に達する渦巻き状の切り込みＣ２１〜Ｃ２５が形成されている。
すなわち、本実施形態の可動領域Ｍ２の周縁は、前記５つの接続部Ｂと、これら５つの接続部Ｂの間を分断する切り込みＣ２１〜Ｃ２５の端部とから構成されている。
【００４４】
中央部Ｐ２と各接続部Ｂとの間は、これらの切り込みＣによって形成された迂回路Ｒにより連結されている。
中央部Ｐ２を第１の端部とし、点Ｂ２１と点Ｂ２２との間の接続部Ｂを第２の端部とする迂回路Ｒ２１は、切り込みＣ２５と切り込みＣ２１とに挟まれた経路である。中央部Ｐ２から迂回路Ｒ２１を経由して接続部Ｂに至る最短経路Ｓ２１は、切り込みＣ２１に沿う経路と切り込みＣ２１に対する点Ｂ２１を通る接線を含む経路である。
【００４５】
中央部Ｐ２を第１の端部とし、点Ｂ２２と点Ｂ２３との間の接続部Ｂを第２の端部とする迂回路Ｒ２２は、切り込みＣ２１と切り込みＣ２２とに挟まれた経路である。中央部Ｐ２から迂回路Ｒ２２を経由して接続部Ｂに至る最短経路Ｓ２２は、切り込みＣ２２に沿う経路と切り込みＣ２２に対する点Ｂ２２を通る接線を含む経路である。
【００４６】
中央部Ｐ２を第１の端部とし、点Ｂ２３と点Ｂ２４との間の接続部Ｂを第２の端部とする迂回路Ｒ２３は、切り込みＣ２２と切り込みＣ２３とに挟まれた経路である。中央部Ｐ２から迂回路Ｒ２３を経由して接続部Ｂに至る最短経路Ｓ２３は、切り込みＣ２３に沿う経路と切り込みＣ２３に対する点Ｂ２３を通る接線を含む経路である。
【００４７】
中央部Ｐ２を第１の端部とし、点Ｂ２４と点Ｂ２５との間の接続部Ｂを第２の端部とする迂回路Ｒ２４は、切り込みＣ２３と切り込みＣ２４とに挟まれた経路である。中央部Ｐ２から迂回路Ｒ２４を経由して接続部Ｂに至る最短経路Ｓ２４は、切り込みＣ２４に沿う経路と切り込みＣ２４に対する点Ｂ２４を通る接線を含む経路である。
【００４８】
中央部Ｐ２を第１の端部とし、点Ｂ２５と点Ｂ２１との間の接続部Ｂを第２の端部とする迂回路Ｒ２５は、切り込みＣ２４と切り込みＣ２５とに挟まれた経路である。中央部Ｐ２から迂回路Ｒ２５を経由して接続部Ｂに至る最短経路Ｓ２５は、切り込みＣ２５に沿う経路と切り込みＣ２５に対する点Ｂ２５を通る接線を含む経路である。
【００４９】
これらの迂回路Ｒ２１〜Ｒ２５を経由して、中央部Ｐ２から各々の第２の端部に至る最短経路の長さは、中央部Ｐ２（第２の端部）と各々の第２の端部間の直線距離よりも長くされている。中央部Ｐ２と各々の第２の端部との間の距離は、その間の切り込みの幅を広げることにより伸張させることができる。そのため、各可動領域Ｍ２における中央部Ｐ２を、当初の基材２ａの位置から離れて３次元方向に移動させることができる。
【００５０】
［第２実施形態の使用態様１］
図７は、第２実施形態の緩衝シート２を用いた収納容器３０の斜視図である。収納容器３０は、本発明の収納容器の１つの実施形態である。
収納容器３０は、６つの矩形状の基板で直方体状の空洞を囲む容器であり、その１つの基板が、第２実施形態の緩衝シート２で構成されている。
緩衝シート２の各可動領域Ｍ２は、押圧により切り込みＣが開き、中央部Ｐ２が迂回路Ｒによって、格子領域Ｆ２から吊り下げられた状態となる。これにより、中央部Ｐ２を底面とする凹部が形成される。
【００５１】
果実等の包装対象物３１を各可動領域Ｍ２に載せると、包装対象物３１の重さによって包装対象物３１の形状に追従した凹部が形成される。また、横揺れなどが生じた場合は、迂回路Ｒが追従してバネのように伸縮し、揺れを吸収する。そのため、包装対象物３１を、移動させることなく定位置に保持することが可能であると共に、揺れにより包装対象物３１に過大な応力がかかることも防止できる。
さらに、複数の包装対象物３１を各可動領域Ｍ２の位置に載せれば、各々の位置に凹部が形成される。そのため、複数の包装対象物３１の間を確実に離間させておくことができ、包装対象物３１同士が輸送中に衝突することなどを防止できる。
したがって、本実施形態の収納容器３０によれば、果実等の包装対象物３１の保護に優れる。
また、緩衝シート２は、１枚の基材から構成されているので、保管や廃棄時等の取り扱いが容易である。
【００５２】
包装対象物を収納容器３０の緩衝シート２の各可動領域Ｍ２に載せて収納した後は、その上側から、適宜の蓋材をかぶせてもよい。
収納容器３０に用いる緩衝シート２を構成する基材は、収納容器１０に用いる緩衝シート１を構成する基材と同様に適宜選択することができる。
【００５３】
［第２実施形態の使用態様２］
図８は、第２実施形態の緩衝シート２を用いた緩衝部材４０の斜視図である。
緩衝部材４０は、各可動領域Ｍ２の切り込みＣを、上からの引き上げまたは下からの押圧により開き、中央部Ｐ２を迂回路Ｒによって、格子領域Ｆ２から押し上げた状態として使用する。これにより、中央部Ｐ２を頂部とする凸部が形成される。
緩衝部材４は凸部を形成してもその周縁の形状と大きさが変わらないので、総ての可動領域Ｍ２を凸部にした状態で、凸部を上として段ボール等の底などに配置して使用できる。
【００５４】
可動領域Ｍ２を、包装対象物を囲む位置に配置した場合は、凸部を包装対象物の移動を防止する障壁として機能させることができる。また、横揺れなどが生じた場合は、迂回路Ｒが追従してバネのように伸縮し、揺れを吸収する。そのため、包装対象物を、移動させることなく定位置に保持することが可能であると共に、揺れにより包装対象物に過大な応力がかかることも防止できる。
また、小さい可動領域Ｍ２を多数形成した場合は、各々凸部を形成した状態において、各可動領域Ｍ２の迂回路Ｒは、中央部Ｐ２を支えるバネとして機能する。そのため、段ボール等に収納した包装対象物を、多数の凸部によって優れたクッション性で支えることもできる。包装対象物に対する圧力分散性は、可動領域Ｍ２の数を増やすほど向上する。
緩衝部材４０を構成する緩衝シート２は、１枚の基材から構成されているので、保管や廃棄時等の取り扱いが容易である。
【００５５】
＜第３実施形態＞
［第３実施形態の緩衝シート］
図９は、本発明の第３実施形態に係る緩衝シート３である。緩衝シート３は、矩形状の平坦な基材３ａに、格子領域Ｆ３（図９においてドット状のハッチングを施した部分）と、格子領域Ｆ３で仕切られた２つの可動領域Ｍ３が設けられている。
格子領域Ｆ３の周縁の形状は矩形状とされ、その周縁に沿った外枠内を縦２列に仕切る、横の仕切りが設けられた構成とされている。
【００５６】
各可動領域Ｍ３には、切り込みＣが複数形成されている。各可動領域Ｍ２の周縁の形状は、各々、中央部Ｐ３を囲む矩形とされている。
可動領域Ｍ３の周縁における、点Ｂ３１ａと点Ｂ３１ｂの間、点Ｂ３２ａと点Ｂ３２ｂの間は、各々可動領域Ｍ３と格子領域Ｆ３との間が切り込みＣにより切断されていない２つの接続部Ｂとされている。
【００５７】
可動領域Ｍ３の周縁における、点Ｂ３１ａと点Ｂ３２ｂの間には、縦方向の切り込みＣ３０ａと、その上端側に接続された横方向の短い切り込みＣ３１ａと、その下端側に接続された横方向の短い切り込みＣ３２ｄとが形成されている。
また、可動領域Ｍ３の周縁における、点Ｂ３２ａと点Ｂ３１ｂの間には、縦方向の切り込みＣ３０ｂと、その下端側に接続された横方向の短い切り込みＣ３２ａと、その上端側に接続された横方向の短い切り込みＣ３１ｄとが形成されている。
すなわち、本実施形態の可動領域Ｍ３の周縁は、前記２つの接続部Ｂと、これら３つの接続部Ｂの間を分断する切り込みＣ３０ａ、Ｃ３１ａ、Ｃ３２ｄ、及び切り込みＣ３０ｂ、Ｃ３２ａ、Ｃ３１ｄとから構成されている。
【００５８】
切り込みＣ３０ａには、横方向の短い切り込みＣ３１ａの下側に、切り込みＣ３１ａと平行に同じ長さで、切り込みＣ３１ｂ、Ｃ３１ｃが順次形成されている。また、短い切り込みＣ３２ｄの上側に、切り込みＣ３２ｄと平行に同じ長さで、切り込みＣ３２ｅ、Ｃ３２ｆが順次形成されている。
また、切り込みＣ３０ｂには、横方向の短い切り込みＣ３２ａの上側に、切り込みＣ３２ａと平行に同じ長さで、切り込みＣ３２ｂ、Ｃ３２ｃが順次形成されている。また、短い切り込みＣ３１ｄの下側に、切り込みＣ３１ｄと平行に同じ長さで、切り込みＣ３１ｅ、Ｃ３１ｆが順次形成されている。
【００５９】
また、切り込みＣ３１ａと切り込みＣ３１ｂの間から、切り込みＣ３１ｄと切り込みＣ３１ｅの間に架けて、切り込みＣ３３ａが形成されている。切り込みＣ３１ｂと切り込みＣ３１ｃの間から、切り込みＣ３１ｅと切り込みＣ３１ｆの間に架けて、切り込みＣ３３ｂが形成されている。
切り込みＣ３３ａ、Ｃ３３ｂは、点Ｂ３１ａと点Ｂ３１ｂの間の接続部Ｂよりも長いが、切り込みＣ３０ａ、Ｃ３０ｂには接していない。
【００６０】
また、切り込みＣ３２ａと切り込みＣ３２ｂの間から、切り込みＣ３２ｄと切り込みＣ３２ｅの間に架けて、切り込みＣ３４ａが形成されている。切り込みＣ３２ｂと切り込みＣ３２ｃの間から、切り込みＣ３２ｅと切り込みＣ３２ｆの間に架けて、切り込みＣ３４ｂが形成されている。
切り込みＣ３４ａ、Ｃ３４ｂは、点Ｂ３２ａと点Ｂ３２ｂの間の接続部Ｂよりも長いが、切り込みＣ３０ａ、Ｃ３０ｂには接していない。
【００６１】
中央部Ｐ３と各接続部Ｂとの間は、これらの切り込みＣによって形成された迂回路Ｒにより連結されている。
中央部Ｐ３を第１の端部とし、点Ｂ３１ａと点Ｂ３１ｂとの間の接続部Ｂを第２の端部とする迂回路Ｒとしては、迂回路Ｒ３１ａと迂回路Ｒ３１ｂの２つが形成されている。
【００６２】
迂回路Ｒ３１ａを経由する最短経路Ｓ３１ａは、中央部Ｐ３から、切り込みＣ３３ｂの左側、Ｃ３１ｂ、Ｃ３３ａの左側、Ｃ３１ａの各々の先端を縫うようにして、接続部Ｂの点Ｂ３１ａに至っている。
迂回路Ｒ３１ｂを経由する最短経路Ｓ３１ｂは、中央部Ｐ３から、切り込みＣ３３ｂの右側、Ｃ３１ｅ、Ｃ３３ａの右側、Ｃ３１ｄの各々の先端を縫うようにして、接続部Ｂの点Ｂ３１ｂに至っている。
【００６３】
中央部Ｐ３を第１の端部とし、点Ｂ３２ａと点Ｂ３２ｂとの間の接続部Ｂを第２の端部とする迂回路Ｒとしては、迂回路Ｒ３２ａと迂回路Ｒ３２ｂの２つが形成されている。
迂回路Ｒ３２ａを経由する最短経路Ｓ３２ａは、中央部Ｐ３から、切り込みＣ３４ｂの右側、Ｃ３２ｂ、Ｃ３４ａの右側、Ｃ３２ａの各々の先端を縫うようにして、接続部Ｂの点Ｂ３２ａに至っている。
迂回路Ｒ３２ｂを経由する最短経路Ｓ３２ｂは、中央部Ｐ３から、切り込みＣ３４ｂの左側、Ｃ３２ｅ、Ｃ３４ａの左側、Ｃ３２ｄの各々の先端を縫うようにして、接続部Ｂの点Ｂ３２ｂに至っている。
【００６４】
これらの迂回路Ｒ３１ａ〜Ｒ３２ｂを経由して、中央部Ｐ１から各々の第２の端部に至る最短経路の長さは、中央部Ｐ３（第１の端部）と第２の端部間の直線距離よりも長くされている。中央部Ｐ３と各々の第２の端部との間の距離は、その間の切り込みの幅を広げることにより伸張させることができる。そのため、各可動領域Ｍ３における中央部Ｐ３を、当初の基材３ａの位置から離れて３次元方向に移動させることができる。
【００６５】
［第３実施形態の使用態様］
第３実施形態に係る緩衝シート３は、第１実施形態の緩衝シート１、第２実施形態の緩衝シート２と同様に、収納容器を構成する基板の一部として使用できる。
また、第１実施形態の緩衝シート１、第２実施形態の緩衝シート２と同様に、緩衝部材として、段ボール等の底に配置して使用できる。
【００６６】
＜その他の態様＞
本発明の緩衝シートにおける格子領域の外周の形状、可動領域の外周の形状は適宜変更できる。また、格子領域で仕切られた複数の可動領域中に設けられる可動領域格子領域で仕切られた部分に形成される可動領域の数も複数であればよく、適宜増減できる。また、可動領域に設けられる切り込みのパターンも適宜変更できる。
また、一つの緩衝シートに設けられる可動領域は、互いに同一でなくともよく、例えば、第１実施形態の可動領域Ｍ１と第２実施形態の可動領域Ｍ２が混在するような態様であってもよい。
また、本発明の収納容器は、直方体状の空洞を囲む態様に限定されない。例えば円柱状の空洞を囲む態様であってもよい。その場合、一方の底面を画する円形の基板を、本発明の緩衝シートで構成すればよい。
【符号の説明】
【００６７】
１、２、３…緩衝シート
１ａ、２ａ、３ａ…基材
Ｆ１、Ｆ２、Ｆ３…格子領域
Ｍ１、Ｍ２、Ｍ３…可動領域
Ｐ１、Ｐ２、Ｐ３…中央部
Ｃ…切り込み
Ｂ…接続部
Ｒ…迂回路
１０、３０…収納容器
２０、４０…緩衝部材
【図１】
0006439506.tif 000002
【図２】
0006439506.tif 000003
【図３】
0006439506.tif 000004
【図４】
0006439506.tif 000005
【図５】
0006439506.tif 000006
【図６】
0006439506.tif 000007
【図７】
0006439506.tif 000008
【図８】
0006439506.tif 000009
【図９】
0006439506.tif 000010